(57)【要約】      （修正有）【課題】  計量が簡単にできるとともに、さらに、注出栓の先端部に上下に弾撥する塗布部を設けて、塗布時にマッサージ効果を付与できるようにした定量塗布容器を提供すること。【解決手段】  中栓は、中央に容器本体からの流路を設けた係合筒を具備し、注出栓は、下部に中栓の係合筒に係合し流路を開閉する弁筒と、上部に取付キャップの注出口から外部へ突出する塗布部を設け、下端部周縁に取付キャップの注出口を開閉する密封リングを設けた注出筒を具備し、取付キャップの内面と、中栓と注出栓との間で計量室が形成され、注出栓を上昇させることにより、計量室への流路を開封するとともに、取付キャップの注出口を閉塞し、計量室内に内容液を流し込んで計量し、注出栓を下降させることにより、計量室への流路を閉塞するとともに、取付キャップの注出口を開封して、計量室内の内容液を注出栓の先端の塗布部により、塗布面に塗布するようにしたことを特徴とする。【選択図】    図１
2006182361.tif 000002
【特許請求の範囲】
【請求項１】
内容液を充填した容器本体の口筒部に、中栓と注出栓、上部に注出口を設けた取付キャップを取着した定量塗布容器において、
中栓は、中央に容器本体からの流路を設けた係合筒を具備し、
注出栓は、下部に中栓の係合筒に係合し流路を開閉する弁筒と、上部に取付キャップの注出口から外部へ突出する塗布部を設け、下端部周縁に取付キャップの注出口を開閉する密封リングを設けた注出筒を具備し、
取付キャップの内面と、中栓と注出栓との間で計量室が形成され、
注出栓を上昇させることにより、計量室への流路を開封するとともに、取付キャップの注出口を閉塞し、計量室内に内容液を流し込んで計量し、
注出栓を下降させることにより、計量室への流路を閉塞するとともに、取付キャップの注出口を開封して、計量室内の内容液を注出栓の先端の塗布部により、塗布面に塗布するようにしたことを特徴とする定量塗布容器。
【請求項２】
計量室は、その内部に中栓の係合筒と上壁、取付キャップの内面とで計量カップが形成されており、
計量室内に内容液を流し込んで計量カップで計量し、計量された内容液を注出栓の先端の塗布部により、塗布面に塗布するようにしたことを特徴とする請求項１記載の定量塗布容器。
【請求項３】
取付キャップには、オーバーキャップが被嵌され、該オーバーキャップは、注出栓の注出筒の内周に嵌挿される係合軸を設けた頂壁と、取付キャップに螺合される側周壁とを具備しており、
オーバーキャップを取付キャップから取外すことにより、注出栓を上昇させるようにしたことを特徴とする請求項１、２記載の定量塗布容器。
【請求項４】
注出栓の塗布部が、ばね等のベンド部材、または、ゴムやエラストマー等の軟材質で形成されていることを特徴とする請求項１〜３記載の定量塗布容器。
【発明の詳細な説明】
【技術分野】
【０００１】
本発明は、定量塗布容器、とくに内容液の一回分の使用量を計量し、塗布面に塗布することができる定量塗布容器に関するものである。
【背景技術】
【０００２】
内容液を充填した容器本体に計量室を取着し、計量室内で計量後、計量室の注出口から計量室の内容液だけを注出する定量注出容器は、従来より知られている（例えば、特許文献１参照）。
【特許文献１】実開昭６３−１７０５２号公報
【発明の開示】
【発明が解決しようとする課題】
【０００３】
上記特許文献１記載の容器は、内容液を充填した容器体（１）に、中栓（２）と計量カップ（３）と開閉板付きキャップ（４）とからなる計量部材を取着し、内容液を計量カップ（３）で計量後、開閉板付きキャップ（４）の開閉板（１７）を開くことにより、計量カップ（３）が引き上げられ、中栓（２）の容器体（１）内との流路が閉塞され、開閉板付きキャップ（４）の注出孔（１６）から、計量カップ（３）内の内容液だけを注出するようにしている。
【０００４】
しかしながら、上記特許文献１記載の容器では、内容液を計量カップ（３）で計量後、開閉板付きキャップ（４）の操作により、計量カップ（３）が引き上げられるため、せっかく計量カップ（３）で計量した内容液が揺れ、中栓（２）の容器体（１）内との流路が閉塞される前に容器体（１）内に戻ってしまい、正確な計量ができなくなるといった問題があった。
【０００５】
本発明は、上記問題を解決することを課題として、計量室を設けた定量塗布容器において、容器本体と計量室内との間の流路と計量室と容器外部との流路となる注出口とが設けられ、上下動させることによって計量室内への流路と注出口とのいずれかを閉塞する注出栓を配設し、内容液の計量時には、注出栓の操作により注出口を閉塞して計量が簡単にできるとともに、さらに、注出栓の先端部に上下に弾撥する塗布部を設けて、塗布時にマッサージ効果を付与できるようにした定量塗布容器を提供することを目的とする。
【課題を解決するための手段】
【０００６】
本発明は、上記の課題を解決するため、定量塗布容器として、内容液を充填した容器本体の口筒部に、中栓と注出栓、上部に注出口を設けた取付キャップを取着した定量塗布容器において、中栓は、中央に容器本体からの流路を設けた係合筒を具備し、注出栓は、下部に中栓の係合筒に係合し流路を開閉する弁筒と、上部に取付キャップの注出口から外部へ突出する塗布部を設け、下端部周縁に取付キャップの注出口を開閉する密封リングを設けた注出筒を具備し、取付キャップの内面と、中栓と注出栓との間で計量室が形成され、注出栓を上昇させることにより、計量室への流路を開封するとともに、取付キャップの注出口を閉塞し、計量室内に内容液を流し込んで計量し、注出栓を下降させることにより、計量室への流路を閉塞するとともに、取付キャップの注出口を開封して、計量室内の内容液を注出栓の先端の塗布部により、塗布面に塗布するようにしたことを特徴とする構成を採用する。
【０００７】
計量をより正確にするため、計量室は、その内部に中栓の係合筒と上壁、取付キャップの内面とで計量カップが形成されており、計量室内に内容液を流し込んで計量カップで計量し、計量された内容液を注出栓の先端の塗布部により、塗布面に塗布するようにしたことを特徴とする構成を採用する。
【０００８】
オーバーキャップとして、取付キャップには、オーバーキャップが被嵌され、該オーバーキャップは、注出栓の注出筒の内周に嵌挿される係合軸を設けた頂壁と、取付キャップに螺合される側周壁とを具備しており、オーバーキャップを取付キャップから取り外すことにより、注出栓を上昇させるようにしたことを特徴とする構成を採用する。
【０００９】
また塗布部として、注出栓の塗布部が、ばね等のベンド部材、または、ゴムやエラストマー等の軟材質で形成されていることを特徴とする構成を採用する。
【発明の効果】
【００１０】
内容液を充填した容器本体の口筒部に、中栓と注出栓、上部に注出口を設けた取付キャップを取着し、さらに、取付キャップにオーバーキャップを取着した定量塗布容器において、注出栓の上下動により、注出口を閉塞するだけで簡単に計量し、さらに計量カップを用いるときにはより正確に計量することができる。
次いで、注出口を開封して計量された内容液を、最後まで塗布面に塗布することができる。
【００１１】
また、注出栓の先端部に弾撥される塗布部を配設し、塗布時に塗布面に弾接させ、上下動させることにより、マッサージ効果を付与することができるようになった。
【発明を実施するための最良の形態】
【００１２】
次に、本発明の定量塗布容器の実施形態について実施例をあげて説明する。
【実施例１】
【００１３】
図１において、Ａは容器本体、Ｂは取付キャップ、Ｃは中栓、Ｄは注出栓、Ｅは取付キャップＢに取着されるオーバーキャップである。
【００１４】
図１に示すように、容器本体Ａは、口筒部１と肩部２を具えており、口筒部１の外周には、取付キャップＢを嵌着する係合突条３と、その下方にネックリング４が設けられている。
ネックリング４上面の所定の位置には、取付キャップＢの廻動を防止するためにストパー部５が立設されている。
【００１５】
取付キャップＢは、注出口筒部１０、ドーム状の計量筒部１１、内周が容器本体Ａに嵌着し、外周がオーバーキャップＥを取着する取付筒部１２とからなっている。
計量筒部１１と取付筒部１２との連設部の内周には、段部１３が形成されている。
【００１６】
取付筒部１２は、上部筒部１５と、その下端に段壁部１６を介して連設される拡径の下部筒部１７とを具備し、上部筒部１５の内周下方には、容器本体Ａの口筒部１の係合突条３に係合する係合凹部１８が設けられ、上部筒部１５の外周には、オーバーキャップＥを螺着するねじ１９が設けられている。
取付筒部１２の段壁部１６の下面には、容器本体Ａのネックリング４に設けられたストッパー部５と衝合し、取付キャップＢの廻動を防止するための突片２０が、垂設されている。
【００１７】
中栓Ｃは、容器本体Ａの口筒部１の上端面に係合する上壁２５と、上壁２５の中央部に立設された注出栓Ｄを載置する支持部２６と、支持部２６の外側に立設され、注出栓Ｄと係合する係合筒２７と、上壁２５下面に垂設され、容器本体Ａの口筒部１の上部内周に嵌挿される嵌挿筒２８と、上壁２５の周縁に立設され、取付キャップＢの内周に嵌合するとともに、段部１３と係合する係合リング部２９とからなっている。
【００１８】
支持部２６は、頂壁３０と、頂壁３０周縁から垂設される筒壁３１とからなり、筒壁３１の数カ所には、外壁から内壁まで流通孔３２が穿設されている。
【００１９】
注出栓Ｄは、上壁３５と、上壁３５の上面に配設された注出筒３６と、上壁３５周縁から垂設される弁筒３７とからなっている。
注出筒３６の上部は、塗布部３８となっており、取付キャップＢの注出口筒部１０内周面との間で注出口ｐが形成されている。
【００２０】
塗布部３８下方の注出筒３６内周には、係合突条３９が設けられており、 注出筒３６の外周下端部には、上壁３５上面から連設され、取付キャップＢの注出口筒部１０の内周下端部に嵌入する密封リング４０が配設されている。
【００２１】
塗布部３８は、上端面を平坦とした螺旋ばね状の樹脂ばねとして形成されており、内容液塗布時に、塗布面に弾接し、上下動されるようになっている。
また、注出筒３６自体をゴムや、エラストマー等の軟材質で形成したり、塗布部３８だけを別部材で形成して注出筒３６の上端に配設したものでも、内容液塗布時に、塗布面に弾接し、上下動するようになっていればよい。
【００２２】
弁筒３７の外周下端部には、中栓Ｃの係合筒２７内周上部に嵌挿させる密封環４１が設けられている。
【００２３】
オーバーキャップＥは、頂壁４５と側周壁４６とからなり、頂壁４５の下面中央には、注出栓Ｄの注出筒３６内周の係合突条３９と係合する係合環４７を設けた係合軸４８が垂設されており、その周辺には、内周が注出栓Ｄの注出筒３６外周と当接し、外周が取付キャップＢの注出口筒部１０の内周に嵌挿される蓋筒４９が垂設されている。
【００２４】
側周壁４６の下方には、取付キャップＢの上部筒部１５に設けられたねじ１９と螺合するねじ５０が設けられており、オーバーキャップＥが取付キャップＢに螺着されるようになっている。
【００２５】
次に、本実施例の定量塗布容器の使用態様と作用効果について説明する。
定量塗布容器の組立てにあたっては、まず、取付キャップＢに、注出栓Ｄを取着した中栓Ｃを取着し、次いで、取付キャップＢにオーバーキャップＥを取着する。
【００２６】
その際、中栓Ｃの支持部２６の頂壁３０上面に注出栓Ｄの上壁３５下面が当接するとともに、注出栓Ｄの弁筒３７下端の密封環４１が中栓Ｃの係合筒２７内周上部に嵌挿され、注出栓Ｄが中栓Ｃに取着されるとともに、内容液の流路が閉塞される。
【００２７】
そして、取付キャップＢと中栓Ｃが係合することで、取付キャップＢの計量筒部１１の内面と中栓Ｃと注出栓Ｄで計量室ｆが形成され、計量室ｆ内には、中栓Ｃの係合筒２７外周と上壁２５上面と計量筒部１１の下部とで計量カップｇが形成される。
【００２８】
そしてまた、オーバーキャップＥの係合軸４８が注出栓Ｄの注出筒３６内周に挿入され、係合軸４８の係合環４７が注出筒３６内周の係合突条３９の下側に係合される。
また同時に、オーバーキャップＥの蓋筒４９の外周が取付キャップＢの注出口筒部１０内周に嵌挿され、注出口ｐが密封される。
【００２９】
最後に、内容液を充填した容器本体Ａの口筒部１に、注出栓Ｄと中栓ＣとオーバーキャップＥを取着した取付キャップＢを嵌着する。
その際、取付キャップＢの取付筒部１２の係合凹部１８と、容器本体Ａの口筒部１の係合突条３が嵌合し、さらに、取付キャップＢの段部１３が中栓Ｃの係合リング部２９と当接することにより、取付キャップＢは容器本体Ａの上部に嵌着される。
【００３０】
また、容器本体Ａのネックリング４のストッパー部５と取付キャップＢの取付筒部１２の突片２０が係合することにより、取付キャップＢが容器本体Ａの上部で廻動することを防止している。
【００３１】
本実施例の定量塗布容器の使用にあたっては、まず、オーバーキャップＥを回転させて取付キャップＢとの螺合を外し開蓋する。
この時、オーバーキャップＥの係合軸４８の係合環４７の上側が、注出栓Ｄの注出筒３６内周の係合突条３９の下側と係合しているので、オーバーキャップＥの上昇により、注出栓Ｄも上昇する。
【００３２】
注出栓Ｄが上昇することにより、注出栓Ｄの弁筒３７の密封環４１が中栓Ｃの係合筒２７内周上部から外れる。
注出栓Ｄは上昇していき、注出栓Ｄの密封リング４０が取付キャップＢの注出口筒部１０内周に嵌挿し、注出栓Ｄの上壁３５の上面周縁が取付キャップＢの注出口筒部１０の下端に当接し、注出栓Ｄの上昇が止まる。
【００３３】
注出栓Ｄの上昇が止まり、さらにオーバーキャップＥを上昇させると、係合軸４８と注出筒３６内周との係合が外れ、オーバーキャップＥだけが容器から外れ、図２に示すように、注出栓Ｄが取付キャップＢの注出口筒部１０の注出口ｐを閉塞した状態になる。
【００３４】
図３に示すように、容器を倒立させると、容器本体Ａ内の内容液が中栓Ｃの支持部２６の流通孔３２、中栓Ｃの係合筒２７と注出栓Ｄ弁筒３７に形成される流路を通じて計量室ｆに流れ込む。
このとき、注出栓Ｄの密封リング４０が、取付キャップＢの注出口筒部１０内周に嵌挿し、注出口筒部１０の注出口ｐを閉塞しているので、内容液は計量室ｆ内から容器外には流出しない。
【００３５】
次に、図４に示すように、容器を正立させると、内容液は、計量室ｆ内の計量カップｇで貯留され、余った液は、そのまま支持部２６の流通孔３２を通り、容器本体Ａ内に戻される。
【００３６】
内容液の計量が終わったら、注出栓Ｄの塗布部３８を上方より押圧し、注出栓Ｄを下降させ、中栓Ｃの支持部２６の頂壁３０上面に、注出栓Ｄの上壁３５下面が当接するとともに、注出栓Ｄの弁筒３７の密封環４１が中栓Ｃの係合筒２７内周上部に嵌挿される。
【００３７】
そして、図５に示すように、中栓Ｃの支持部２６の流通孔３２を通り、係合筒２７と弁筒３７との間に形成される流路が閉塞され、次に、注出栓Ｄの密封リング４０と取付キャップＢの注出口筒部１０内周との係合が外れ、注出栓Ｄの注出筒３６外周と取付キャップＢの注出口筒部１０内周との間で注出口ｐが形成される。
【００３８】
係合筒２７と弁筒３７との間に形成される流路が閉塞され、容器の倒立時に計量室ｆ内に容器本体Ａ内からの余計な内容液の流れ込みが防止される。
【００３９】
最後に、図５に示すように、容器を倒立させ、注出栓Ｄの塗布部３８を頭皮などの塗布面ｈに当接し、弾接して上下動させる。
このことで、計量室ｆ内の内容液が注出口ｐよりしみだし、頭皮などの塗布面ｈに塗布される。
また、塗布部３８の弾接、上下動による頭皮などの塗布面ｈに対してのマッサージ効果をもたらす。
【００４０】
また、計量カップを使用しないで、図３に示すように、容器を倒立させ、容器本体Ａ内の内容液を計量室ｆに流れ込んだ状態から、直接、注出栓Ｄの塗布部３８を塗布面ｈに押圧し、注出栓Ｄの弁筒３７を中栓Ｃの係合筒２７内周上部に嵌挿させることで、図５に示すように、係合筒２７と弁筒３７との間に形成される流路を閉塞させ、同時に、注出栓Ｄの密封リング４０と取付キャップＢの注出口筒部１０内周との係合を外し、注出口ｐを形成させることもできる。
この状態で塗布部３８を塗布面ｈに弾接させ上下動させることで、塗布面ｈに計量室ｆ内だけの内容液を塗布することができる。
【００４１】
計量室ｆ内の内容液を使い切ったときには、容器を正立させ、図１に示すように、オーバーキャップＥを容器に螺着すれば、本実施例の定量塗布容器内を、密封することができる。
また、オーバーキャップＥを外し、塗布操作することで、容器本体Ａ内の内容液がなくなるまで何度でも定量塗布容器として使用することができる。
【実施例２】
【００４２】
次に、前記実施例の中栓の構成を変えた実施例について説明する。
図６において、Ａａは容器本体、Ｂａは取付キャップ、Ｃａは中栓、Ｄａは注出栓、Ｅａは取付キャップＢａに取着されるオーバーキャップである。
【００４３】
中栓Ｃａ以外の構成は、実施例１と同様であるので、同一の構成については添字ａを付して図示し、詳しい説明は省略する。
【００４４】
中栓Ｃａは、容器本体Ａａの口筒部１ａの上端面に係合する上壁５５と、上壁５５の中央に穿設された流通孔５６と、上壁５５の流通孔５６の周縁から立設され、注出栓Ｄａの下端部と係合する係合筒５７と、上壁５５下面に垂設され、容器本体Ａａの口筒部１ａの上部内周に嵌挿される嵌挿筒５８と、上壁５５の周縁に立設され、取付キャップＢａの内周の段部１３ａと係合する係合リング部５９とからなっている。
【００４５】
係合筒５７の内周には、所定の高さで、注出栓Ｄａの弁筒３７ａ下端部が当接し、注出栓Ｄａの下降を阻止するリブ６０が数カ所配設されている。
【００４６】
本実施例の定量塗布容器の組立てにあたっては、第１実施例と同様に、まず中栓Ｃａに注出栓Ｄａを取着する。
その際、注出栓Ｄａの弁筒３７ａの下端が、中栓Ｃａの係合筒５７内周のリブ６０の上端に当接するとともに、注出栓Ｄａの弁筒３７ａの密封環４１ａが中栓Ｃａの係合筒５７内周上部に嵌挿され、内容液の流路が閉塞されることとなる。
【００４７】
中栓Ｃａと注出栓Ｄａとの組み立て以外は前記実施例１と同様であるので、説明は省略する。
【００４８】
本実施例の定量塗布容器を組立てることにより、前記実施例１同様、取付キャップＢａの計量筒部１１ａの内側面と中栓Ｃａと注出栓Ｄａで計量室ｆａが形成される。
計量室ｆａ内には、中栓Ｃａの係合筒５７外周と上壁５５上面と計量筒部１１ａの下部とで計量カップｇａが形成される。
【００４９】
次に、本実施例の使用態様と作用効果について説明する。
中栓Ｃａと注出栓Ｄａの関係以外は、前記実施例１と同様であるので説明は省略する。
注出栓Ｄａが上昇した際には、注出栓Ｄａの弁筒３７ａの密封環４１ａと中栓Ｃａの係合筒５７内周上部との係合が外れ、弁筒３７ａと係合筒５７との間が、容器本体Ａａ内から計量室ｆａへの内容液の流路となる。
また、内容液は、計量室ｆａ内の計量カップｇａで貯留され、余った液は、そのまま係合筒５７の内周を通り、容器本体Ａａ内に戻される。
【００５０】
内容液の計量が終わったら、注出栓Ｄａの塗布部３８ａを上方より押圧し、注出栓Ｄａを下降させ、注出栓Ｄａの弁筒３７ａの密封環４１ａが中栓Ｃａの係合筒５７内周に嵌挿させるとともに、注出栓Ｄａの弁筒３７ａの下端が、中栓Ｃａの係合筒５７内周のリブ６０の上端に当接し、注出栓Ｄａの下降が止まる。
そして、弁筒３７ａと係合筒５７と間の流路が閉塞され、次に、注出栓Ｄａの係合筒３６ａ外周と取付キャップＢａの注出口筒部１０ａ内周との間で注出口ｐａが形成される。
【００５１】
以上のように、本実施例も実施例１同様に、内容液を計量室ｆａ内の計量カップｇａで計量し、計量した分だけを塗布面に塗布することができる。
【００５２】
また、上記実施例では、中栓の係合筒内周に、注出栓の下降を阻止するリブを配設したが、図７に示すように、中栓Ｃｂの係合筒６５内周にリブを配設せず、代わりに、注出栓Ｄｂの弁筒６６の外周に、所定の高さで、中栓Ｃｂの係合筒６５の上端部が当接し、注出栓Ｄｂの下降を阻止するフランジ６７を配設したものでも、実施例２と同様に、内容液を計量室ｆｂ内の計量カップｇｂで計量し、計量した分だけを塗布面に塗布することができる。
【００５３】
各実施例ともに、取付キャップの計量筒部を透明の素材で形成し、さらに、計量の目安となる計量線を設けることで、内容液の計量をする際に、計量室内の計量状況を確認することができ、より正確な計量をおこなうことができる。
したがって、取付キャップの構成は、各実施例の形態に限定されない。
【産業上の利用可能性】
【００５４】
内容液を充填した容器本体の口筒部に、中栓と注出栓、上部に注出口を設けた取付キャップを取着し、さらに、取付キャップにオーバーキャップを取着した定量塗布容器において、注出栓の上下動により、内容液を計量し、最後まで正確に計量した分の内容液を塗布面に塗布することができ、構造的にも簡単なものにすることができるようになった。
また、注出栓の先端部に弾撥可能な塗布部を配設し、塗布時に上下動させることにより、マッサージ効果を付与することができるようになった。
【００５５】
本発明の定量塗布容器は、育毛剤、その他の薬品や化粧品等の定量塗布容器として広く利用することができる。
【図面の簡単な説明】
【００５６】
【図１】本発明第１実施例の定量塗布容器の断面立面図である。
【図２】オーバーキャップを取外し、注出栓を上昇させた時の断面立面図である。
【図３】容器を倒立した時の断面立面図である。
【図４】容器を倒立した後、正立に戻した時の断面立面図である。
【図５】容器を倒立させ、注出栓先端の塗布部を塗布面に弾接させた時の断面立面図である。
【図６】第２実施例の断面立面図である。
【図７】第２実施例の変形例の断面立面図である。
【符号の説明】
【００５７】
Ａ、Ａａ、Ａｂ  容器本体
Ｂ、Ｂａ、Ｂｂ  取付キャップ
Ｃ、Ｃａ、Ｂｂ  中栓
Ｄ、Ｄａ、Ｄｂ  注出栓
Ｅ、Ｅａ、Ｅｂ  オーバーキャップ
ｆ、ｆａ、ｆｂ  計量室
ｇ、ｇａ、ｇｂ  計量カップ
ｈ              塗布面
ｐ、ｐａ        注出口
１、１ａ        口筒部
２              肩部
３              係合突条
４              ネックリング
５              ストッパー部
１０、１０ａ    注出口筒部
１１、１１ａ    計量筒部
１２            取付筒部
１３、１３ａ    段部
１５            上部筒部
１６            段壁部
１７            下部筒部
１８            係合凹部
１９、５０      ねじ
２０            突片
２５、３５、    上壁
２６            支持部
２７、５７、６５  係合筒
２８、５８      嵌挿筒
２９、５９      係合リング部
３０、４５      頂壁
３１            筒壁
３２、５６      流通孔
３６、３６ａ    注出筒
３７、３７ａ、６６  弁筒
３８、３８ａ    塗布部
３９            係合突条
４０            密封リング
４１、４１ａ    密封環
４６            側周壁
４７            係合環
４８            係合軸
４９            蓋筒
６０            リブ
６７            フランジ
【図１】
2006182361.tif 000003
【図２】
2006182361.tif 000004
【図３】
2006182361.tif 000005
【図４】
2006182361.tif 000006
【図５】
2006182361.tif 000007
【図６】
2006182361.tif 000008
【図７】
2006182361.tif 000009